(57)【要約】      （修正有）【課題】釣り用オモリの大きさに拘わらず、釣り糸を傷つけることなく、釣り糸に着脱自在の釣り用オモリを提供する。【解決手段】略球形の金属１のほぼ中心まで所定の間隔のスリット２を設けた構成のものであり、従来のガン玉やゴム貼りオモリのように、切れ目（割り）を閉じることにより釣り糸に取り付けるものではなく、釣り糸の所望の位置に紫外線硬化性樹脂を塗布し、この塗布部位にスリットを差し込み、紫外線硬化性樹脂を硬化させることにより釣り糸に装着することができる。この時、紫外線硬化性樹脂は、釣り糸と金属の接触を防止する保護層としても機能する。【選択図】図１
0003115819.tif 000002
【実用新案登録請求の範囲】
【請求項１】
略球形の金属のほぼ中心までスリットを設けたこと特徴とする釣り用オモリ。
【請求項２】
スリットがほぼ平行である、請求項１記載の釣り用オモリ。
【請求項３】
金属が、鉛、スズ、鉛−亜鉛合金、鉛−スズ合金、タングステン及び真ちゅうからなる群から選択される材質から構成される、請求項１または２記載の釣り用オモリ。
【請求項４】
略球形の金属の外表面が、着色用塗膜を備えてなる、請求項１ないし３のいずれか１項記載の釣り用オモリ。
【考案の詳細な説明】
【技術分野】
【０００１】
本考案は、釣り用オモリに関し、更に詳細には釣り糸を傷つけることなく、釣り糸に直接取り付けることができる釣り用オモリに関する。
【背景技術】
【０００２】
従来の糸に直接取り付けるタイプの釣り用オモリは、図２に示すような通称ガン玉と呼称されるような、略球形の鉛合金のような金属（１）に切れ目（割り）を入れたもので、切れ目に釣り糸を通して歯やペンチで外部から挟み着けて切れ目を閉じることにより略球形となって釣り糸に装着することができるものが一般的であった。しかしながら、このようなタイプの釣り用オモリは、金属が直接釣り糸と接触するために、釣り糸が傷付き易く、このため、釣り糸のガン玉装着部位に和紙等を巻き付けてからガン玉を取り付ける等の方法が採用されている。また、一旦釣り糸に取り付けてしまうと、再度切れ目を開いて再使用することができないという欠点があった。更に、ガン玉の外表面に各種塗料を塗布して着色することも行われているが、釣り糸に装着する際に外表面を歯やペンチ等で挟み着けると、塗膜を損傷してしまうという問題点もあった。
【０００３】
そこで、釣り糸の損傷を防止するために、図３に示すように、略球形の鉛合金のような金属（１）の切れ目に、ゴムシート（３）を貼った所謂ゴム貼りオモリが開発され、使用されている。このゴム貼りオモリにおいては、釣り糸は切れ目に貼り付けられたゴムシート（３）と接触する構成となっており、釣り糸の損傷をかなり防止することができる。しかも、比較的軟質の鉛や鉛合金から形成されており、切れ目の開閉は指で比較的自在に行うことができ、複数回使用することができるものである。
【考案の開示】
【考案が解決しようとする課題】
【０００４】
しかしながら、上述のようなゴム貼りオモリは、切れ目にゴムを貼る加工を行うため、ある程度以上の大きさのものにしか適用できず、微細な釣り用オモリには適用できないものであった。また、ゴム貼り工程にコストが掛るという問題点もあった。また、ゴムシート（３）の厚さ分、同じ重さのオモリでも嵩が大きくなる点も無視できない。更に、比較的軟質の鉛合金から構成されているために、保存容器中でオモリどうしが接触するだけでも変形してしまうこともあり、保存し難いという問題点もある。
【０００５】
従って、本考案の目的は、釣り用オモリの大きさに拘わらず、釣り糸を傷つけることなく、釣り糸に着脱自在の釣り用オモリを提供することにある。
【課題を解決するための手段】
【０００６】
本考案の釣り用オモリは、略球形の金属のほぼ中心までスリットを設けたことを構成上の特徴とするものである。
【考案の効果】
【０００７】
本考案の釣り用オモリによれば、釣り糸を損傷することなく、釣り糸に簡便な方法により装着することができ、また、容易に取り外すこともでき、釣り用オモリを変形させることがないので再使用することができるという効果を奏するものである。
【考案を実施するための最良の形態】
【０００８】
本考案の釣り用オモリは、図１に示すように略球形の金属（１）のほぼ中心まで所定の間隔のスリット（２）を設けた構成のものであり、従来のガン玉やゴム貼りオモリのように、切れ目（割り）を閉じることにより釣り糸に取り付けるものではなく、釣り糸の所望の位置に紫外線硬化性樹脂を塗布し、この塗布部位にスリットを差し込み、紫外線硬化性樹脂を硬化させることにより釣り糸に装着することができる。この時、紫外線硬化性樹脂は、釣り糸と金属の接触を防止する保護層としても機能する。また、本考案の釣り用オモリは、一旦釣り糸に装着しても簡単に取り外すことができ、スリットを閉じて釣り用オモリ自体を変形させることがないので何度でも同様の方法で再使用することができる。
【０００９】
ここで、本考案の釣り用オモリに使用する金属は、特に限定されるものではなく、例えば鉛、スズ、鉛−亜鉛合金、鉛−スズ合金、タングステン、真ちゅう等を用いることができる。
【００１０】
本考案の釣り用オモリにおいて、スリットは、ほぼ平行な形状であることが好ましく、スリットの間隔は、装着しようとする釣り糸の直径等を勘案して適宜決定することができる。なお、装着しようとする釣り糸の直径よりスリットの間隔が狭いと、釣り糸が変形して損傷するために好ましくない。
【００１１】
また、本考案の釣り用オモリは、その外表面を任意の色調に塗装することができる。本考案の釣り用オモリは上述のように紫外線硬化性樹脂を用いて釣り糸に装着するため、塗膜を損傷することなく装着することができる。
【００１２】
なお、本考案の釣り用オモリを釣り糸に装着するために使用する紫外線硬化性樹脂は、特に限定されるものではなく、例えば商品名ＵＶノットシーラー等を用いることができる。なお、紫外線硬化性樹脂を硬化するために、ＵＶライト等を用いることもできる。
【実施例】
【００１３】
実施例１
直径２ｍｍの略球形のタングステン球のほぼ中心まで幅０．２ｍｍのスリットを入れることにより本考案の釣り用オモリを作製した。
直径０．１ｍｍのナイロン製釣り糸の表面に紫外線硬化性樹脂（商品名：ＵＶレジン）を３ｍｍにわたり塗布した後、紫外線硬化性樹脂の塗布部位を、上記釣り用オモリのスリットに挿入し、紫外線硬化性樹脂を硬化させたところ、本考案の釣り用オモリを釣り糸に装着することができた。次に、釣り糸の長さ方向に釣り用オモリを移動させたところ、釣り糸を損傷することなく、紫外線硬化性樹脂の塗膜と共に移動させることができた。また、本考案の釣り用オモリを釣り糸から取り外すことができた。
【００１４】
実施例２
直径３．５ｍｍの略球形のタングステン球のほぼ中心まで幅０．３ｍｍのスリットを入れ、次に、タングステン球の外表面をビニローゼ系塗料により塗装して金色に着色することにより本考案の釣り用オモリを作製した。
直径０．２ｍｍのナイロン製釣り糸の表面に紫外線硬化性樹脂（商品名：ＵＶレジン）を３ｍｍにわたり塗布した後、紫外線硬化性樹脂の塗布部位を、上記釣り用オモリのスリットに挿入し、紫外線硬化性樹脂を硬化させたところ、本考案の釣り用オモリを釣り糸に装着することができた。次に、釣り糸の長さ方向に釣り用オモリを移動させたところ、釣り糸を損傷することなく、紫外線硬化性樹脂の塗膜と共に移動させることができた。また、本考案の釣り用オモリを釣り糸から取り外すことができた。なお、塗膜損傷は観察されなかった。
【産業上の利用可能性】
【００１５】
本考案の釣り用オモリは、フライフッシング、渓流釣り、海釣り等のジャンルを問わず、各種釣り用のオモリとして好適に使用することができる。
【図面の簡単な説明】
【００１６】
【図１】本考案の釣り用オモリの１実施態様を示す概略図である。
【図２】従来の釣り用オモリを示す概略図である。
【図３】従来の釣り用オモリの他の態様を示す概略図である。
【符号の説明】
【００１７】
１  略球形の金属
２  スリット
３  ゴムシート
【図１】
0003115819.tif 000003
【図２】
0003115819.tif 000004
【図３】
0003115819.tif 000005